(57)【要約】【課題】輝度レベルの高い文字等の映像信号が入力され、かつ平均画像レベルが所定レベルより低い場合でもブルーミングの発生を防ぐ映像信号処理回路を提供することを目的とする。【解決手段】判定器９は、制御電圧が第１の電圧を超えたと判定しかつ平均画像レベルが所定レベルより小さいと判定した場合、帯域制限器７を動作状態にし、入力信号の通過帯域を制限する。この場合、自動輝度制限器および自動コントラスト制限器５は、ほとんど動作せず、効果は低い。判定器９は、制御電圧が第１と第２の電圧間（第１の電圧＞第２の電圧）であると判定した場合や、平均画像レベルが所定レベルを超えていると判定した場合、帯域制限器７が入力信号をそのまま通過させる。この場合、自動輝度制限器および自動コントラスト制限器５は、動作し、効果は高い。【選択図】　図１
2004080670.tif 000002
【特許請求の範囲】
【請求項１】
入力映像信号と制御電圧が供給され、前記制御電圧が第１と第２の電圧間（第１の電圧＞第２の電圧）の場合は効果が高く、前記制御電圧が前記第１の電圧を超えた場合は効果が低く、前記制御電圧が前記第２の電圧未満の場合は効果が最大となる自動輝度制限器および自動コントラスト制限器と、
前記自動輝度制限器および自動コントラスト制限器の出力端に接続された帯域制限器と、
入力信号から平均画像レベルを検出する平均画像レベル検出器と、
前記制御電圧が前記第１の電圧未満であると判定した場合、前記帯域制限器を不動作状態にさせ、前記制御電圧が前記第１の電圧を超えていると判定し、かつ前記平均画像レベル検出器からの前記平均画像レベルが所定レベルより小さいと判定した場合、前記帯域制限器を動作状態にさせ、前記制御電圧が前記第１の電圧未満であると判定し、かつ前記平均画像レベル検出器からの前記平均画像レベルが前記所定レベルを超えると判定した場合、前記帯域制限器を不動作状態にさせる判定器と、を具備したことを特徴とする映像信号処理回路。
【発明の詳細な説明】
【０００１】
【発明の属する技術分野】
本発明は、映像信号処理回路、特に輝度レベルの高い文字等の映像信号によって生じるブルーミング対策を備えた映像信号処理回路に関する。
【０００２】
【従来の技術】
以下に述べるブルーミングとは、映像管やブラウン管の電子ビームの量を増していくと、ある値以上で急激にスポットが広がり、解像度が劣化する現象をいう。
【０００３】
図７は、ブルーミングを起こした時の画像例である。
【０００４】
また、ＡＢＬは、Ａｕｔｏｍａｔｉｃ　Ｂｒｉｇｈｔｎｅｓｓ　Ｌｉｍｉｔｅｒの略であり、自動的に映像信号の輝度信号を制御する自動輝度制限器である。以下、単にＡＢＬと記す。更に、ＡＣＬは、Ａｕｔｏｍａｔｉｃ　Ｃｏｎｔｒａｓｔ　Ｌｉｍｉｔｅｒの略であり、自動的に映像信号のコントラストを制御する自動コントラスト制限器である。以下、単にＡＣＬと記す。
【０００５】
更にまた、ＡＰＬは、Ａｖｅｒａｇｅ　Ｐｉｃｔｕｒｅ　Ｌｅｖｅｌの略であり、平均画像レベルである。以下、単にＡＰＬと記す。また、ＷＰＬは、Ｗｈｉｔｅ　Ｐｅａｋ　Ｌｉｍｉｔｅｒの略であり、画一的な帯域制限による映像信号の白ピークを制御する白ピーク制限器である。以下、単にＷＰＬと記す。
【０００６】
従来、ブルーミングを防ぐために、ＡＢＬおよびＡＣＬが用いられており、これらは、ＡＰＬが所定レベルを超える場合には、有効な手段として知られている。
【０００７】
一方、ＡＰＬが所定レベルより低い場合、γ補正、ＷＰＬの採用などによってブルーミングを防ぐ方法が用いられている。
【０００８】
【発明が解決しようとする課題】
γ補正、ＷＰＬの採用などは、画像の解像度等を落とす弊害をもたらす場合もあり、しかもＡＰＬが高い場合には不要な機能である。
【０００９】
そこで本発明は、簡単な回路構成によって、輝度レベルの高い文字等の映像信号が入力され、かつＡＰＬが所定レベルより低い場合でもブルーミングの発生を防ぐ映像信号処理回路を提供することを目的とする。
【００１０】
【課題を解決するための手段】
本発明の映像信号処理回路は、
入力映像信号と制御電圧が供給され、前記制御電圧が第１と第２の電圧間（第１の電圧＞第２の電圧）の場合は効果が高く、前記制御電圧が前記第１の電圧を超えた場合は効果が低く、前記制御電圧が前記第２の電圧未満の場合は効果が最大となる自動輝度制限器および自動コントラスト制限器と、
前記自動輝度制限器および自動コントラスト制限器の出力端に接続された帯域制限器と、
入力信号から平均画像レベルを検出する平均画像レベル検出器と、
前記制御電圧が前記第１の電圧未満であると判定した場合、前記帯域制限器を不動作状態にさせ、前記制御電圧が前記第１の電圧を超えていると判定しかつ前記平均画像レベル検出器からの前記平均画像レベルが所定レベルより小さいと判定した場合、前記帯域制限器を動作状態にさせ、前記制御電圧が前記第１の電圧未満であると判定しかつ前記平均画像レベル検出器からの前記平均画像レベルが前記所定レベルを超えると判定した場合、前記帯域制限器を不動作状態にさせる判定器と、を具備したことを特徴とする。
【００１１】
【発明の実施の形態】
図１に、本発明の映像信号処理回路の構成を示す。
【００１２】
入力端子１より、入力映像信号がＡＢＬおよびＡＣＬ５に供給される。ＡＢＬおよびＡＣＬ５は、自動的に映像信号の輝度を制御するとともに、自動的に映像信号のコントラストを制御する。
【００１３】
ＡＢＬおよびＡＣＬ５には、更に、制御電圧入力端子３を介して、制御電圧が供給される。この制御電圧のレベルで、ＡＢＬおよびＡＣＬの効果が左右される。
【００１４】
ＡＢＬおよびＡＣＬが効き始める制御電圧のポイントは、テレビジョン受像機開発時に決定される。図２に示す字幕などの輝度の高い映像信号がブルーミングを起こすＡＰＬのレベルもテレビジョン受像機開発時に測定可能である。このことを前提として、映像信号処理回路は、構成されている。
【００１５】
制御電圧の一例を、図３に示す。制御電圧は、０Ｖ〜９Ｖまで変化する。例えば、５Ｖ〜７Ｖの間にある場合、ＡＢＬおよびＡＣＬ５は、動作し、効果が高い。制御電圧が、例えば５Ｖの時、ＡＢＬおよびＡＣＬ５の効果が最高となる。制御電圧が、例えば７Ｖの時、ＡＢＬおよびＡＣＬ５の効果が最低となる。
【００１６】
制御電圧が、７Ｖを超える場合、ＡＢＬおよびＡＣＬ５は、ほとんど動作せず、効果が低い。制御電圧が、５Ｖ未満の場合、ＡＢＬおよびＡＣＬ５の効果は、最高を維持している。
【００１７】
ＡＢＬおよびＡＣＬ５で、所定の処理を行われた映像信号は、帯域制限器７に供給される。これの動作は、後述する判定器９により制御される。
【００１８】
ＡＰＬ検出器３は、入力映像信号のＡＰＬを検出し、判定器９にＡＰＬを供給する。判定器９には、ＡＰＬのほかに、ＡＢＬおよびＡＣＬ５と同様、制御電圧が供給されている。
【００１９】
判定器９は、次に述べる２点両方が満たされたと判定した場合のみ、帯域制限器７を動作させ、入力信号の通過帯域を制限し、それ以外の場合は、入力信号をそのまま通過させる。
【００２０】
（１）制御電圧が、７Ｖを超えた場合、
（２）ＡＰＬが所定レベルより小さい場合（ブルーミングが発生するレベル以下の場合）。
【００２１】
図３でいえば、例えば７Ｖを超えている場合に、判定器９は、帯域制限器７を動作させ、入力信号の通過帯域を制限させる。図４は、帯域制限器７の動作時の特性例である。
【００２２】
図５は、点線で示す入力映像信号を帯域制限することにより、実線で示すように入力映像信号の振幅幅が、小さくなる。これにより、図６に示す如く、画面には、ブルーミングを生じない画像が映し出される。
【００２３】
一方、ＡＰＬが所定レベルを超えるときは、帯域制限が行われないので、画像の解像度劣化を防ぐことが出来る。
【００２４】
【発明の効果】
本発明の映像信号処理回路によれば、簡単な回路構成によって、輝度レベルの高い文字等の映像信号が入力され、かつＡＰＬが所定レベルより低い場合でもブルーミングの発生を防ぐことが出来る。
【図面の簡単な説明】
【図１】本発明の映像信号処理回路の構成を示すブロック図である。
【図２】字幕などの輝度の高い入力映像信号の波形図である。
【図３】制御電圧の一例を示す図である。
【図４】帯域制限器５の動作時の特性例を示す図である。
【図５】字幕などの輝度の高い入力映像信号が、帯域制御器５で帯域制限されたことを示す波形図である。
【図６】本発明の映像信号処理回路により、ブルーミングを起こしていない時の画像例である。
【図７】従来の技術でブルーミングを起こした時の画像例である。
【符号の説明】
１・・入力端子、３・・制御電圧入力端子、３・・ＡＰＬ（Ａｖｅｒａｇｅ　Ｐｉｃｔｕｒｅ　Ｌｅｖｅｌ；平均画像レベル）検出器、５・・ＡＢＬ（Ａｕｔｏｍａｔｉｃ　Ｂｒｉｇｈｔｎｅｓｓ　Ｌｉｍｉｔｅｒ；自動輝度制限器）およびＡＣＬ（Ａｕｔｏｍａｔｉｃ　Ｃｏｎｔｒａｓｔ　Ｌｉｍｉｔｅｒ；自動コントラスト制限器）、７・・帯域制限器、９・・判定器、１１・・出力端子。
【図１】
2004080670.tif 000003
【図２】
2004080670.tif 000004
【図３】
2004080670.tif 000005
【図４】
2004080670.tif 000006
【図５】
2004080670.tif 000007
【図６】
2004080670.tif 000008
【図７】
2004080670.tif 000009